(57)【要約】【課題】従来の照明装置は、マイナスイオン発生機を照明装置本体から取り外すと、光源であるランプへの電源の供給が停止してしまう構成であるため、マイナスイオン発生機を交換しようとして照明装置本体から取り外してしまうと、ランプにより継続して照明を行うことができなかった。従って、例えばマイナスイオン発生機の交換を行う時間帯が夜であったりして照明装置が取り付けられている場所が暗い場合には、マイナスイオン発生機の交換が困難であるという問題があった。【解決手段】本発明は、光源と、イオン発生装置等の電気機器と、前記光源及び前記電気機器を制御する制御部を備える照明装置において、前記制御部は、前記電気機器が停止した状態であっても、前記光源を制御して駆動することにより照明可能としたことを特徴とする。【選択図】図１
2010040267.tif 000002
【特許請求の範囲】
【請求項１】
光源と、イオン発生装置等の電気機器と、前記光源及び前記電気機器を制御する制御部を備える照明装置において、
前記制御部は、前記電気機器が停止した状態であっても、前記光源を制御して駆動することにより照明可能としたことを特徴とする照明装置。
【請求項２】
前記制御部は、前記光源及び前記電気機器を個々に制御することを特徴とする請求項１に記載の照明装置。
【請求項３】
照明時に前記電気機器が停止した状態となっても、
前記制御部は、前記光源を制御して駆動することにより継続して照明可能としたことを特徴とする請求項１または請求項２に記載の照明装置。
【請求項４】
前記電気機器を覆うカバーと、
前記カバーの開状態を検知する検知手段を有し、
前記検知手段が前記カバーの開状態を検知すると、前記制御部は前記電気機器を停止することを特徴とする請求項１から請求項３の何れか１項に記載の照明装置。
【請求項５】
前記検知手段は、前記カバーと前記電気機器の間に設けられたスイッチを有することを特徴とする請求項４に記載の照明装置。
【請求項６】
前記スイッチは、被押圧部と前記カバーが閉状態である場合に前記被押圧部を押圧する押圧部からなり、
前記カバーの開状態は、前記被押圧部が押圧されていない状態を検知することにより検知されることを特徴とする請求項５に記載の照明装置。
【請求項７】
前記光源及び前記電気機器に対して個々に電源が供給されることを特徴とする請求項１から請求項６の何れか１項に記載の照明装置。
【請求項８】
前記電気機器はイオン発生装置であることを特徴とする請求項１から請求項７の何れか１項に記載の照明装置。
【発明の詳細な説明】
【技術分野】
【０００１】
本発明は、イオン発生装置等の電気機器を備える照明装置に関する。
【背景技術】
【０００２】
近年、発光ダイオード（以下、ＬＥＤと記す）を光源とする照明装置の開発が行われており、ＬＥＤを光源とするＬＥＤ照明装置の内部に空気清浄機能を有するマイナスイオン発生機を備えた照明装置も提案されている（例えば特許文献１）。
上記特許文献１に記載されている照明装置５００は、図１２に示すように、光源であるランプ５０３と、照明装置本体５０１の下面側の中央部にマイナスイオン発生機５０２を備えた照明装置である。マイナスイオン発生機５０２は、照明装置本体５０１に対して着脱可能な構成であるので、マイナスイオン発生機５０２が故障しても、マイナスイオン発生機５０２のみを交換することが可能である。
【特許文献１】特開２００４−１４６３３５号公報
【発明の開示】
【発明が解決しようとする課題】
【０００３】
しかし、上記従来の照明装置５００は、マイナスイオン発生機５０２を照明装置本体５０１から取り外すと、ランプ５０３への電源の供給が停止してしまう構成であるため、マイナスイオン発生機５０２を交換しようとして照明装置本体５０１から取り外してしまうと、ランプ５０３により継続して照明を行うことができなかった。従って、例えばマイナスイオン発生機５０２の交換を行う時間帯が夜であったりして照明装置５００が取り付けられている場所が暗い場合には、マイナスイオン発生機５０２の交換が困難であるという問題があった。
また、照明装置５００は、マイナスイオン発生機５０２の交換時にもランプ５０３を駆動するには、ランプ５０３に電源を供給する接続コード５０４を点灯回路５０５に接続されている接続コード５０６に繋ぎ変える必要がある。従って、上述したような暗い場所においてはマイナスイオン発生機５０１の交換作業は特に困難であった。
【課題を解決するための手段】
【０００４】
本発明の照明装置は、光源と、イオン発生装置等の電気機器と、前記光源及び前記電気機器を制御する制御部を備える照明装置において、前記制御部は、前記電気機器が停止した状態であっても、前記光源を制御して駆動することにより照明可能としたことを特徴とする。
本発明によれば、電気機器が停止した状態であっても、光源に電源を供給することにより照明を継続して行うことができるので、照明下で電気機器の交換作業ができ、照明がない場合と比較して、交換作業の作業性がよく容易である。
【０００５】
本発明の照明装置は、さらに、前記制御部は、前記光源及び前記電気機器を個々に制御することを特徴とする。
本発明によれば、電気機器が停止した状態でも光源には電源が供給することができる。
本発明の照明装置は、さらに、照明時に前記電気機器が停止した状態となっても、前記制御部は、前記光源を制御して駆動することにより継続して照明可能としたことを特徴とする。
本発明によれば、電気機器が停止した状態でも光源には電源が供給されるので、電気機器の動作状態に関係なく、照明を行うことができる。
本発明の照明装置は、さらに、前記電気機器を覆うカバーと、前記カバーの開状態を検知する検知手段を有し、前記検知手段が前記カバーの開状態を検知すると、前記制御部は前記電気機器を停止することを特徴とする。
本発明によれば、電気機器を覆うカバーの開閉状態に応じて、電気機器の駆動を制御することができるので、カバーを開けると自動的に電気機器の駆動を停止させることができる。よって、電気機器の交換作業をより安全に行うことができる。
本発明の照明装置は、さらに、前記検知手段が、前記カバーと前記電気機器の間に設けられたスイッチを有することを特徴とする。
本発明によれば、カバーの開閉状態の検知が簡易な構成により実現することができる。
【０００６】
本発明の照明装置は、さらに、前記スイッチが、被押圧部と前記カバーが閉状態である場合に前記被押圧部を押圧する押圧部からなり、前記カバーの開状態は、前記被押圧部が押圧されていない状態を検知することにより検知されることを特徴とする。
本発明によれば、カバーの開閉状態の検知がスイッチの押圧状態により検知することができるので、カバーの開閉に応じて確実に検知することができる。
本発明の照明装置は、さらに、前記光源及び前記電気機器に対して個々に電源が供給されることを特徴とする。
本発明によれば、電気機器を照明装置から取り外しても、光源に電源を供給して駆動することができる。
本発明の照明装置は、さらに、前記電気機器がイオン発生装置であることを特徴とする。
本発明によれば、イオン発生装置の交換が照明下で容易かつ安全に行うことができる。特に、イオン発生装置はファンを有しているが、交換時にファンを確実に停止することにより、交換時の安全性が向上する。
【発明の効果】
【０００７】
本発明によれば、イオン発生装置等の電気機器の備える照明装置において、当該電気機器の交換作業を容易に行うことが可能である。
【発明を実施するための最良の形態】
【０００８】
以下、本発明の照明装置の実施の形態について、電気機器としてのイオン発生装置を備える照明装置を例示して図面を用いて説明する。なお、前記イオン発生装置は、プラスイオンとマイナスイオンを発生させるイオン発生装置である。
【０００９】
（実施の形態１）
図１は、本発明の照明装置の実施の形態１の要部斜視図である。なお、図１は、本発明の照明装置に用いられる拡散板を一部を取り除いて表示することにより、照明装置の内部を示している。
図１を用いて、照明装置の構成について説明する。
照明装置２００は、スクウェア型の照明装置であって、開口部を有する底面が正方形状のアルミニウムからなる筐体２０２と、筐体２０２の内部に収容され光源としての複数のＬＥＤ２０３ａを基板２０３ｂに装着したＬＥＤモジュール２０３と、筐体２０２の開口部に設けられＬＥＤ２０３ａのグレアを低減するための乳白色のアクリルからなる拡散板２０４と、筐体２０２の中央に設置されるイオン発生装置１００（以下、イオン発生ユニット１００と記す）と、筐体２０２の開口部に設けられ拡散板２０４及びイオン発生ユニット１００を保持する枠体２０１と、外部から供給される交流電源を直流に変換してＬＥＤモジュール２０３及びイオン発生ユニット１００に電源を供給する電源部としての電源ユニット４０１と、ＬＥＤモジュール２０３及びイオン発生ユニット１００を個々に制御する制御ユニット４２１を備える。
【００１０】
前記ＬＥＤモジュール２０３は、複数のＬＥＤ２０３ａと該複数のＬＥＤ２０３ａを等間隔にマトリクス状に装着した基板２０３ｂとからなり、筐体２０２の底面にはＬＥＤモジュール２０３を複数枚並べて設置することで、均一な発光が可能である。また、ＬＥＤ２０３ａから照射される光は、筐体２０２の底面から所定の間隔をおいて配置された拡散板２０４によって拡散されて照射されるので、輝度ムラも低減した面発光も可能となる。従って、拡散板２０４は、均一な面発光の発光面と機能する。なお、ＬＥＤ２０３ａは、青色ＬＥＤを黄色蛍光体と赤色蛍光体を含んだ樹脂で封止してパッケージした高演色ＬＥＤである。また、複数のＬＥＤ２０３ａは、基板を介せず、筐体２０２の底面に直接取り付けられていてもよい。
【００１１】
図２は、図１の照明装置に用いられるイオン発生ユニットの要部斜視図である。図３は、図２のイオン発生ユニットの要部分解斜視図である。図４は、図２のイオン発生ユニットの本体ベースの要部分解斜視図である。図５は、図２のイオン発生ユニットの裏面側から見た要部分解斜視図である。なお、実施の形態の説明において、前面とはイオンを含む空気が吹き出される空気吹出口が設けられる側の面を示し、裏面とは前面の反対側の面を示す。
【００１２】
図２から図５を用いて、照明装置２００に用いられるイオン発生ユニット１００について説明する。
イオン発生ユニット１００は、略直方体のケース４０と、ケース４０の内部に取り付けられイオン発生素子Ａ３１、イオン発生素子Ｂ３２及び軸流ファン３３（以下、ファン３３と記す）等を備える本体ベース３０と、本体ベース３０に装着され外部から吸い込んだ空気の通気路を本体ベース３０とともに形成する吸い込みグリル２０と、ケース４０の前面に設けられ本体ベース３０と吸い込みグリル２０を覆う前面カバー１０（以下、カバー１０と記す）から構成される。
前記ケース４０は、プラスチック等の合成樹脂で形成された略直方体のケースであり、ケース４０の底面に設けられた複数の取付孔４１に、前記本体ベース３０の裏面に設けられた取付突起４２を嵌合することによって、本体ベース３０をケース４０内部に装着して収容することが可能な構成である。また、ケース４０の四角には、照明装置２００の筐体２０２の底面にネジ留めするためのネジ孔４３をそれぞれ有している。
【００１３】
本体ベース３０は、プラスチック等の合成樹脂で形成され、前記ケース４０よりひと回り小さい略直方体のケースであり、対向する一対の側面４５がその底面に対して略４５°傾斜している。また、一対の側面４５の前面側の端部近傍には、イオン発光素子Ａ３１、イオン発生素子Ｂ３２がそれぞれ取り付けられている。具体的には、イオン発生素子Ａ３１及びイオン発生素子Ｂ３２は、先端に係止部が形成された固定板３４により側面４５である傾斜面に押圧されて固定されている。また、固定版３４を解除することによって、イオン発光素子Ａ３１、イオン発生素子Ｂ３２を取り外すこともできるので、着脱可能な構成である。
【００１４】
また、図４に示すように、本体ベース３０の底面の中央には、前面方向に突出した半球状の絞り部３７が形成されており、絞り部３７に複数枚の羽根を有するファン３３が取り付けられている。
ファン３３を駆動することにより、カバー１０の空気吸込口１５及び吸い込みグリル２０の吸込孔２５を通過して本体ベース３０の内部に吸い込まれた空気は、絞り部３７に吹きつけられる。その吹きつけられた空気は絞り部３７の突出した形状によって、本体ベース３０の底面から側面方向に円滑に流すことができる。さらに、側面４５は傾斜しているので、側面４５に到達した空気を傾斜に沿って、本体ベース３０の前面方向に円滑に流すことができる。つまり、絞り部３７の突出した形状及び本体ベース３０の側面４５の傾斜した形状は、空気を円滑に流す作用があり、絞り部３７及び側面４５は整流部として機能する。
【００１５】
また、本体ベース３０は、外面にイオン発生ユニット１００の駆動を制御する駆動制御部３５と、イオン発生ユニット１００の動作状態を表示するための複数の表示用ＬＥＤ４３７を有する表示部３６と、カバー１０の開閉状態を検知するためのマイクロスイッチ３５１備える。表示用ＬＥＤ４３７は、第１の青色ＬＥＤ、第２の青色ＬＥＤ、赤色ＬＥＤ及び緑色ＬＥＤからなり、イオン発生ユニット１００の動作状態に合わせて、色を変えて点灯表示する。また、イオン発生ユニット１００及び後述するフィルタの交換時期を、表示用ＬＥＤ４３７を点灯表示することで使用者に警告する。
イオン発生素子Ａ３１は、矩形の板状体であり、一方の端部近傍にプラスイオンを発生させる電極部としてのプラスイオン発生電極部（電極針３１ａ、３１ｂ）を有し、他方の端部近傍にマイナスイオンを発生させる電極部としてのマイナスイオン発生電極部（電極針３１ｃ、３１ｄ）を有している。プラスイオン発生電極部（電極針３１ａ、３１ｂ）とマイナスイオン発生電極部（電極針３１ｃ、３１ｄ）は離隔してあり、イオン発生素子Ａ３１を側面４５に取り付けた状態でプラスイオン発生電極部が空気吹出口１１（吹出孔２１）の近傍に、マイナスイオン発生電極部が空気吹出口１４（吹出孔２４）の近傍に配置されるように構成されている。
【００１６】
上記構成により、プラスイオンとマイナスイオンを含む空気をそれぞれ異なる空気吹出口から独立して吹き出すことが可能となる。よって、プラスイオンとマイナスイオンが発生後すぐに結合してしまうことを防止できるとともに、プラスイオン及びマイナスイオンを発生後すぐに外部に放出できるので、より遠くまで拡散させることが可能である。
イオン発生素子Ｂ３２は、イオン発生素子Ａ３１と同様の構成であって、イオン発生素子Ｂ３２を傾斜面に取り付けた状態で、空気吹出口１２（吹出孔２２）の近傍には、マイナスイオンを発生するマイナスイオン発生電極部が配置され、空気吹出口１３（吹出孔２３）の近傍にはプラスイオンを発生するプラスイオン発生電極部が配置される。よって、空気吹出口１２からはマイナスイオンを含む空気が吹き出され、空気吹出口１３からはプラスイオンを含む空気が吹き出される。
【００１７】
なお、上記構成においては、イオン発生素子Ａ３１及びイオン発生素子Ｂ３２は、それぞれプラスイオン発生電極部とマイナスイオン発生電極部が対角するように配置されている。このような配置にすることによって、プラスイオンとマイナスイオンをバランスよく外気中に放出することが可能である。
また、イオン発生素子Ａ３１及びイオン発生素子Ｂ３２は、空気中の水蒸気をプラズマ放電によりイオン化することにより、プラスイオンとしてのＨ+ （Ｈ2 Ｏ）m（ｍは任意の自然数）と、マイナスイオンとしてのＯ2 - （Ｈ2 Ｏ）n（ｎは任意の自然数）とを発生する。そして、発生したＨ+ （Ｈ2 Ｏ）m 及びＯ2 - （Ｈ2 Ｏ）n が空気中の浮遊細菌や浮遊ウィルス等に付着し、化学反応して活性種である過酸化水素（Ｈ2 Ｏ2 ）及び／又は水酸基ラジカル（ＯＨ）を生成する。Ｈ2 Ｏ2 及び／又はＯＨは、極めて強力な活性を示すので、付着した浮遊細菌や浮遊ウィルス等を取り囲んで除去することができる。
【００１８】
吸い込みグリル２０は、中央に吸込孔２５を備え、吸込孔２５の周囲に４つの吹出孔２１、２２、２３，２４を備えている。また、図５に示すように、本体ベース３０と対向する裏面側に、本体ベース３０の底面及び側面とともに、外部から吸い込んだ空気の通気路を形成するための傾斜面２０１ａを有する通気壁２０１が吸込孔２５を挟んで２つ設けられている。通気壁２０１の高さは、本体ベース３０の深さよりも低くなるように設定され、通気壁２０１の傾斜面２０１ａの傾斜角を本体ベース３０の側面の傾斜角（４５°）と略同一にすることにより、通気壁２０１と本体ベース３０の底面及び側面４５との間に通気路を確保することができる。
【００１９】
また、各通気壁２０１の中央には、イオン発生素子Ａ３１、イオン発生素子Ｂ３２が取り付けられた状態で、プラスイオンとマイナスイオンが結合しないように仕切る仕切板として機能する通気板２０２が設けられている。通気板２０２は、傾斜面２０２ａ、２０２ｂを有しており、本体ベース３０の絞り部３７に衝突して流れてくる空気を各吹出孔に分散させて、円滑に送風することが可能である。さらに対角する位置に設けられている吹出孔２２、２４は整流板２０４を供えており、他の吹出孔２１、２３と異なる方向に吹き出すことが可能である。よって、吹出孔２１、２２、２３，２４から吹き出される空気は、全て異なる方向となるので、プラスイオン及びマイナスイオンをバランスよく拡散することができる。
従って、通気壁２０１、通気板２０２及び整流板２０４は、それぞれ空気の通気路の一部を構成するとともに、空気の吹き出し方向を設定する吹出方向設定部材としての機能も有している。
【００２０】
カバー１０は、本体ベース３０及び吸い込みグリル２０を前面から覆うようにケース４０の開口部に取り付けられており、外部の空気を本体ベース３０の内部に吸い込むための空気吸込口１５と、イオン発生素子から発生したイオンを含む空気を吹き出す空気吹出口１１、１２、１３、１４を備えている。空気吸込口１５は、吸い込みグリル２０の吸込孔２５に対応する位置に配置され、空気吹出口１１、１２、１３，１４はそれぞれ吸い込みグリル２０の吹出孔２１、２２、２３、２４に対応する位置に配置されている。
また、吹出孔２１，２２，２３，２４は、それぞれ空気の吹き出し方向に沿って傾斜した複数枚の仕切板からなるスリットを有している。該仕切板を吹き出し方向に沿って傾斜させておくことにより、上述した吸い込みグリル２０の吹出方向設定部材に加えて、より確実に吹き出し方向を定めることができる。よって、イオンを含む空気を異なる四方向に拡散することができるので、確実に室内の浮遊細菌やウィルスを除去することができる。
【００２１】
また、カバーの１０の吸い込みグリル２０と対向する側において、本体ベース３０の外面に設けられたマイクロスイッチ３５１に対応する位置に突起棒１６が設けられている。カバー１０がケース４０（吸い込みグリル２０）に対して閉じている状態（閉状態）においては、突起棒１６が押圧部として機能し、被押圧部としてのマイクロスイッチ３５１を押圧することになる。また、カバー１０が開いている状態（開状態）においては、突起棒１６がマイクロスイッチ３５１を押圧せずに、両者は離れることになる。上記構成により、マイクロスイッチ３５１が押圧されているかを検知することで、カバー１０の開閉状態を検知することが可能である。マイクロスイッチ３５１と突起棒１６は、カバー１０の開閉状態を検知する検知手段としての一組のスイッチとなる。
さらに、カバー１０の空気吸込口１５の裏面側には、外部からイオン発生ユニット１００の内部に吸い込む空気に含まれる埃を取り除くフィルタ（図示せず）が設けられている。
【００２２】
図６は、図１の照明装置の要部ブロック図である。図６を用いて、照明装置を構成する各ユニットの接続及び制御について説明する。
照明装置２００は、外部から供給される交流電源を定電流に変換してＬＥＤモジュール２０３を有する光源ユニット４１１等の各ユニットに供給する電源ユニット４０１と、電源ユニット４０１から定電流の供給を受けて発光する光源ユニット４１１と、電源ユニット４０１から定電流の供給を受けて駆動するイオン発生ユニット１００と、電源ユニット４０１から定電流の供給を受けて光源ユニット４１１とイオン発生ユニット４０１を個々に制御する制御ユニット４２１から構成される。
電源ユニット４０１は、交流の外部電源を定電流電源に変換する電源部であって、保護回路４０２と、交流を全波整流する整流回路４０３と、ノイズを除去するノイズフィルタ回路４０４と、ＬＥＤモジュール２０３等の駆動するため所定の電圧（３３Ｖ）まで降圧させる変圧回路４０５と、ＬＥＤモジュール２０３等に定電流を供給する定電流供給回路４０７と、定電流供給回路４０７から供給される電流を安定した定電流とするための定電流制御回路４０６とからなる。
【００２３】
光源ユニット４１１は、光源モジュールとしてのＬＥＤモジュール２０３を複数有している。なお、ＬＥＤモジュール２０３の駆動電圧が３３Ｖであるので、前記定電流供給回路４０７は定電流の３３Ｖの電源となるように設定してある。
制御ユニット４２１は、光源ユニット４１１とイオン発生ユニット１００を制御する制御部としてのマイコン４２３と、定電流供給回路４０７から供給される３３Ｖの電源をマイコン４２３の駆動電圧（５Ｖ）に降圧し、マイコン４２３に電源を供給して駆動する制御ユニット電源供給回路４２２と、マイコン４２３が参照する記憶部としてのＥＥＰＲＯＭ等のメモリ４２４と、外部のリモコンからの各ユニットの電源のオン・オフや光源ユニット４１１の調光等の赤外線信号を受信してマイコン４２３に送信するリモコン信号受信部４２５とからなる。
【００２４】
イオン発生ユニット１００は、定電流供給回路４０７から供給される３３Ｖの電源を所定の電圧（１２Ｖ）に降圧して駆動制御部４３２に電源を供給するイオン発生ユニット電源供給回路４３８と、イオン発生素子Ａ３１・イオン発生素子Ｂ３２を駆動するイオン発生素子駆動回路４３３とファン３３を駆動するファン駆動回路４３４とカバー１０の開閉状態を検知するカバー開閉検知回路４３５と、表示用ＬＥＤ４３７を制御する表示用ＬＥＤ駆動回路４３６からなる駆動回路部４３２とからなる。
【００２５】
図７は、図１の照明装置のイオン発生ユニット及びフィルタの交換サインを表示する制御フロー図である。図８は、図１の照明装置のフィルタの交換時の制御フロー図である。
図７を用いて、照明装置２００のイオン発生ユニット１００及びフィルタの交換サインを表示する制御について説明する。
照明装置２００の電源をオンにすると（Ｓ０）、まず、マイコン４２３がメモリ４２４に記憶されている前回の最終駆動時までのイオン発生ユニット１００とフィルタの使用積算時間をそれぞれ読み込む（Ｓ１）。
【００２６】
次に、イオン発生ユニット１００が現在駆動中かどうかを判断する（Ｓ２）。イオン発生ユニット１００が駆動されていない場合は、イオン発生ユニット１００とフィルタの使用時間を積算する必要がないので、交換サイン表示する制御フローを終了する（Ｓ８）。
イオン発生ユニット１００が駆動されている場合は、イオン発生ユニット１００とフィルタの使用時間をマイコン４２３に内蔵されているタイマを用いてカウントする（Ｓ３）。使用時間のカウントは、イオン発生ユニット１００の駆動時間を所定の時間間隔（１０分単位）毎に行う。具体的には、イオン発生ユニット１００の駆動が１０分間継続しているかを判断し（Ｓ４）、１０分経過する毎にメモリ４２４に記憶されているイオン発生ユニット１００とフィルタの使用積算時間を１０分単位ずつ増やして更新する（Ｓ５）。なお、使用時間のカウントの途中でイオン発生ユニット１００の電源がオフされるなどして１０分間継続して駆動されない場合は、メモリ４２４内の使用時積算間は更新されない。
【００２７】
次に、イオン発生ユニット１００とフィルタの使用積算時間が、メモリ４２４に記憶されている予め設定されている所定の交換時期に達したかどうかを判断する（Ｓ６）。交換時期に達していない場合は、イオン発生ユニット１００の駆動が継続される限り、そのまま継続して上記制御フローにより使用時間のカウントを行う（Ｓ４）。また、交換時間に達している場合は、表示部３６に交換サインを表示することにより、使用者に警告する（Ｓ７）。以上により、イオン発生ユニット１００及びフィルタの交換時期検知の制御フローを終了する（Ｓ８）。
なお、メモリ４２４に記憶されているイオン発生ユニット１００の交換時期は２００００時間であり、フィルタの交換時期は１５００時間である。イオン発生ユニット１００の交換時期に達しても交換せずに継続して使用すると、イオン発生ユニット１００（イオン発生素子Ａ３１・イオン発生素子Ｂ３２）からプラスイオンとマイナスイオンが放出されないというような状態が生じるので、十分な空気清浄機能が発揮されない場合がある。
【００２８】
また、フィルタの交換を行わないと、フィルタが埃等で目詰まりを起こし、イオン発生ユニット１００内に空気が十分に送り込まれなくなり、外部に吹き出されるイオンを含む空気の量も減少する。よって、イオン発生ユニット１００のイオンを含む空気を拡散させる能力が低下してしまうことになる。
上記制御フローで説明したような制御によれば、表示部３６の交換サインの表示により使用者に対して確実に交換時期を視認させて警告することができるので、上述したようなイオン発生ユニット１００の機能の低下を防ぐことができる。
【００２９】
次に、図８を用いて、イオン発生ユニット１００のフィルタ交換時の制御について説明する。
まず、フィルタの交換作業がスタートして（Ｓ１０）、フィルタの交換のためにカバー１０が開かれると、イオン発生ユニット１００のカバー開閉検知回路４３５はマイクロスイッチ３５１の押圧状態からカバー１０の開状態を検知する（Ｓ１１）。カバー１０が開状態であることを検知すると、マイコン４２３に開状態であるという信号が送信され（Ｓ１２）、マイコン４２３はイオン発生ユニット１００を制御して駆動を停止する（Ｓ１３）。より具体的には、マイコン４２３は、イオン発生素子駆動回路４３３及びファン駆動回路４３４にイオン発生素子Ａ３１・イオン発生素子Ｂ３２及びファン３３の駆動を停止する信号を送信し、それぞれの駆動回路は電源の供給を停止して駆動を停止する。イオン発生ユニット１００の駆動が停止しているので、安全にフィルタの交換を行うことができる。
【００３０】
その後、カバー１０が閉められて、再度カバー１０の突起棒１６がマイクロスイッチ３５１を押圧する状態に復帰すると、カバー開閉検知回路４３５はカバー１０の閉状態を検知する（Ｓ１４）。カバー１０が閉状態であることを検知すると、マイコン４２３にカバー１０が閉状態であるという信号が送信され（Ｓ１５）、イオン発生ユニット１００の駆動を自動的に再開する（Ｓ１６）。
フィルタ交換時は上記の制御がなされ、安全なフィルタ交換が可能となる（Ｓ１７）。また、フィルタ交換を行う間、イオン発生ユニット１００（イオン発生素子Ａ３１・イオン発生素子Ｂ３２及びファン３３）の駆動を停止しているが、照明装置２００の光源ユニット４１１には継続して電源が供給されており、光源ユニット４１１を駆動して照明が継続して行われる。従って、照明下でフィルタの交換を行うことができるので、フィルタの交換を容易に行うことが可能である。
さらに、照明装置２００は、光源ユニット４１１及びイオン発生ユニット１００に対してそれぞれに個別に電源が供給される構成であるので、イオン発生ユニット１００自体を交換する場合においても、光源ユニット４１１には電源を継続して供給することができ、イオン発生ユニット４１１自体の交換も照明下で行うことができる。
【００３１】
図９は、図２のイオン発生ユニットの動作状態の表示及びフィルタとイオン発生ユニットの交換時期の表示を示す表示部の表示用ＬＥＤの点灯状態を説明する表である。表の１列目に記したイオン発生ユニット１００の動作状態毎に、複数の表示用ＬＥＤ４３７の点灯状態を示している。
イオン発生ユニット１００は、ファン３３の回転数が異なる複数の動作モード（ハイモード・ミドルモード・ロウモード）を有しており、使用者がリモコン等で選択することができる。ファン３３の回転数を変えることで室内のイオン濃度を調整することができ、例えば室内の空気清浄機能を強くしたい場合には、ハイモードに設定して、イオン発生ユニットを駆動することでファンの回転数を上げることにより、室内のイオン濃度を上昇させて空気清浄機能を強くすることができる。なお、ロウモードは最もファンの回転数が小さいモードであり、空気清浄能力はこの３つのモードでは最も小さい。また、ミドルモードはハイモードとロウモードの中間のレベルである。
【００３２】
また、表示部３６は、上記複数のモード毎に異なる色になるように、複数の表示用ＬＥＤ４３７を組み合わせて点灯する。表示用ＬＥＤ４３７の点灯の制御は、マイコン４２３から表示用ＬＥＤ駆動回路４３６にモードについての信号を送信し、表示用ＬＥＤ駆動回路４３６がその信号に応じて行われる。
なお、図９に示すように、ハイモードの場合は第１の青色ＬＥＤと第２の青色ＬＥＤ、ミドルモードの場合は第２の青色ＬＥＤと緑色ＬＥＤ、ロウモードの場合は第２の青色ＬＥＤを点灯させる。それぞれ異なる色としているのは、室内に放出されるイオンは視認することができないので、使用者が駆動中のイオン発生ユニットがどのモードで駆動されているのかを判断することが難しいからである。
また、フィルタ交換時期の交換サインを表示する場合は赤色ＬＥＤを点灯させ、イオン発生ユニットの交換時期の交換サインを表示する場合は第２の青色ＬＥＤと緑色ＬＥＤを点滅させて行う。
【００３３】
上述したように、使用者が交換時期を視認することができるので、イオン発生ユニット１００の機能が低下して状態で継続して使用することを防ぐことができる。
なお、上述したイオン発生ユニット１００の動作状態の表示及びフィルタとイオン発生ユニット１００の交換時期の表示する際の表示用ＬＥＤ４３７の色の組み合わせは一例である。また、光源ユニット４１１のＬＥＤモジュール２０３又はＬＥＤモジュール２０３の一部のＬＥＤ２０３ａの色を変えることができる構成として、光源ユニット４１１のＬＥＤ２０３ａを表示用ＬＥＤとして用いてもよい。表示用ＬＥＤを別途設ける必要がなくなるので、照明装置のコストを低減することができる。
【００３４】
次に、イオン発生ユニット１００及びフィルタの交換時期を表示する表示用ＬＥＤ４３７の点灯表示のリセットする制御について説明する。フィルタの交換時期の表示は、イオン発生ユニット１００が停止していても赤色ＬＥＤが継続して点灯して行われ、またイオン発生ユニット１００の交換時期の表示は第２の青色ＬＥＤと緑色ＬＥＤを点滅して行われるので、使用者に不快感を与えてしまう可能性がある。よって、照明装置２００は、イオン交換ユニット１００とフィルタのそれぞれの交換サインの点灯表示をリセットさせる制御を有している。
【００３５】
図１０は、イオン発生ユニット及びフィルタの交換時期を表示する表示用ＬＥＤの点灯表示のリセットを行う制御フロー図である。
図１０に示すように、イオン発生ユニット１００及びフィルタの交換時期を表示する表示用ＬＥＤ４３７の点灯表示のリセットを行う場合（Ｓ２０）、まず、イオン発生ユニット１００の前面側に設けられているカバー１０を外す必要がある。カバー開閉検知回路４３５は、カバー１０が外されて開状態であると検知すると（Ｓ２１）、イオン発生ユニット１００を制御して駆動を停止して、イオン発生ユニット１００の駆動を停止する（Ｓ２２）。なお、カバー１０の開状態の検知は、上述したようにカバー開閉検知回路４３５がマイクロスイッチ３５１の押圧状態を検知することで行う。カバー１０が一度開けられると、フィルタの交換サインが表示されていれば消灯し、フィルタ使用積算時間はクリアされる（Ｓ２５）。
【００３６】
次に、表示部３６に表示されているサインがイオン発生ユニットの交換サインかどうかについて判断する（Ｓ２４）。イオン発生ユニット１００の交換サインである場合はカバー開検知フラグをメモリ４２４にセットし（Ｓ２５）、イオン発生ユニット１００の交換サインでない場合はカバー開検知フラグをセットしない。
さらに、カバー１０が閉められて、カバー開閉検知回路４３５がカバー閉状態を検知すると（Ｓ２６）、イオン発生ユニット１００の駆動を再開する（Ｓ２７）。さらに、外部のリモコンから表示リセット信号があったかどうかについて判断する（Ｓ２８）。表示リセット信号がない場合は、使用者が表示リセットを行いたいわけではないので、継続して交換サインの表示を行う（Ｓ３２）。
表示リセット信号の受信があった場合は、フィルタの交換サインの表示を消灯させ、さらにメモリ４２４に記憶されているフィルタの使用時間積算時間をクリアする（Ｓ２９）。さらに、カバー開検知フラグがメモリにセットされている場合は（Ｓ３０）、イオン発生ユニット１００の交換サインの表示を消灯させ、メモリ４２４に記憶されているイオン発生ユニット使用積算時間をクリアする（Ｓ３１）。その後、制御を終了する（Ｓ３２）。
【００３７】
以上の制御によると、フィルタの交換サインの表示は、カバー１０が一度開けられるか又はリモコンからの表示リセットの信号を受信した場合の何れの場合にもリセットが行われるが、イオン発生ユニット１００の交換サインの表示は、カバー１０の開閉とリモコンからの表示セットの信号の受信の両方があった場合のみリセットされる。つまり、イオン発生ユニット１００の交換サインの表示リセットの方が、フィルタの交換サインの表示リセットと比較して条件を多く設定してある。
【００３８】
（実施の形態２）
図１１は、本発明の実施の形態２の照明装置の概略斜視図である。実施の形態１と同一の部分については、同一の符号を付して、詳細な説明は省略する。
実施の形態２の照明装置３００は、直方体型（ストレート型）の照明装置であって、開口部を有する底面が長方形状のアルミニウムからなる筐体３０２である。筐体３０２の開口には拡散板が取付けられ、さらに筐体３０２の短辺側の一端には、イオン発生ユニット１００が取付けられている。
照明装置３００も、実施の形態１の照明装置２００と同じ制御が行われるので、イオン発生ユニット１００を交換のために取り外したり、フィルタを交換するためにカバー１０を開けたりして、イオンは発生ユニット１００の駆動を停止した状態になっても、光源ユニット４１１に電源を供給することにより照明を継続して行うことが可能である。従って、照明下でイオン発生ユニット１００等の交換を容易に行うことができる。
【００３９】
以上の説明において、イオン発生ユニットが駆動されない状態として、イオン発生ユニット等の交換の場合を例示して説明したが、電気機器と光源が別の系統で電源を供給可能としていることから、イオン発生ユニット１００の電源をオフにして駆動を停止した状態にしても、光源のみに電源を供給して照明を継続することも可能である。よって、使用者は、照明時に任意にイオン発生ユニット１００の電源のオン・オフを選択することができる。
また、以上の実施の形態の説明において、照明装置に取付けられる電気機器としてイオン発生ユニット（イオン発生装置）を例示したが、これに限定されない。例えば、空調機器等の他の電気機器でもよい。
さらに、光源ユニットの光源としてＬＥＤを用いているが、これに限定されず、蛍光灯やＥＬ（Ｅｌｅｃｔｒｏ‐Ｌｕｍｉｎｅｓｃｅｎｃｅ）等の他の光源であってもよい。また、ＬＥＤとして、高演色ＬＥＤを用いているが、青色ＬＥＤと黄色蛍光体からなる擬似白色ＬＥＤであってもよく、さらにまた、赤色のＬＥＤ、緑色のＬＥＤ及び赤色のＬＥＤからなるパッケージＬＥＤであってもよい。
【図面の簡単な説明】
【００４０】
【図１】本発明の照明装置の実施の形態１の要部斜視図である。
【図２】図１の照明装置に用いられるイオン発生ユニットの要部斜視図である。
【図３】図２のイオン発生ユニットの要部分解斜視図である。
【図４】図２のイオン発生ユニットの本体ベースの要部分解斜視図である。
【図５】図２のイオン発生ユニットの裏面側から見た要部分解斜視図である。
【図６】図１の照明装置の要部ブロック図である。
【図７】図１の照明装置のイオン発生ユニット及びフィルタの交換サインを表示する制御フロー図である。
【図８】図１の照明装置のフィルタの交換時の制御フロー図である。
【図９】図２のイオン発生ユニットの動作状態の表示及びフィルタとイオン発生ユニットの交換時期の表示を示す表示部の表示用ＬＥＤの点灯状態を説明する表である。
【図１０】図２のイオン発生ユニット及びフィルタの交換時期を表示する表示用ＬＥＤの点灯表示のリセットを行う制御フロー図である。
【図１１】本発明の実施の形態２の照明装置の概略斜視図である。
【図１２】従来の照明装置の断面図である。
【符号の説明】
【００４１】
１００  イオン発生装置（イオン発生ユニット）
１０  前面カバー
１６  突起棒
２００、３００  照明装置
２０３ａ  ＬＥＤ
２０３  ＬＥＤモジュール
３５１  マイクロスイッチ
４１１  光源ユニット
４２１  制御ユニット
４２３  マイコン
【図１】
2010040267.tif 000003
【図２】
2010040267.tif 000004
【図３】
2010040267.tif 000005
【図４】
2010040267.tif 000006
【図５】
2010040267.tif 000007
【図６】
2010040267.tif 000008
【図７】
2010040267.tif 000009
【図８】
2010040267.tif 000010
【図９】
2010040267.tif 000011
【図１０】
2010040267.tif 000012
【図１１】
2010040267.tif 000013
【図１２】
2010040267.tif 000014